(57)【特許請求の範囲】
【請求項１】
金属板を曲げ加工することにより略筒状に形成された箱状部を備え、該箱状部内に雄型の金属端子が挿入される接続端子において、
前記箱状部には、前記金属板を曲げ加工した際に互いに対向する各対向部位のうち一方の対向部位に設けられた係止爪と、他方の対向部位に前記係止爪と対応するように形成された係止孔又は係止凹部とから構成される係止機構を設け、
前記箱状部内に、基端部が前記箱状部の下壁部に固定されて前後方向に延びる片持ち梁状に形成され、その基端部から中途部位までが箱状部の下壁部から上壁部側に向けて斜状に延びると共に、その中途部位から先端部までが箱状部の上壁部側から下壁部側に向けて斜状に延びるように略へ字状に形成され、該箱状部内に前記雄型の金属端子が挿入された場合に前記中途部位に形成された頂部が前記金属端子に押圧されて該金属端子の挿入方向と交差する方向に弾性変位する金属弾性片を設け、
前記箱状部の上壁部に、内側へ膨出する膨出部を設け、
前記係止機構及び前記膨出部は、前記金属端子の挿入方向において前記金属弾性片の前記頂部と対応する位置に配置されたことを特徴とする接続端子。
【請求項２】
前記箱状部には、前記金属板の各対向部位を重畳させてなる重畳部が形成されている請求項１に記載の接続端子。
【請求項３】
前記重畳部を構成する前記金属板の各対向部位のうち少なくとも一方は、その板厚が前記金属板のうち前記重畳部以外の部位の板厚よりも薄くなるように形成されている請求項２に記載の接続端子。
【請求項４】
前記箱状部は、四角筒状をなすように形成されており、前記重畳部は、前記金属板の各対向部位のうち外側に位置する対向部位の外側面が前記重畳部以外の部位の外側面と同一面内に位置するように形成されている請求項３に記載の接続端子。
【請求項５】
前記係止機構は、前記箱状部に前記金属端子の挿入方向に沿って複数形成されており、前記各係止機構のうち一つの係止機構が、前記金属端子の挿入方向において前記金属弾性片と対応する位置に配置されている請求項１〜請求項４のうち何れか一項に記載の接続端子。
【発明の詳細な説明】
【技術分野】
【０００１】
本発明は、電気配線に使用される金属製の接続端子に関し、特に雄型の金属端子を挿入可能な箱状部を有する雌型の接続端子に関する。
【背景技術】
【０００２】
従来、一枚の金属板から加工形成された接続端子として、例えば特許文献１に記載の接続端子（端子金具）が提案されている。この接続端子は、雄型の金属端子（以下、単に「金属端子」という。）を挿入可能な箱状部と、電線を保持する電線保持部とを備えており、前記箱状部は、金属板を折り曲げ形成することにより略四角筒状をなすように形成されている。また、箱状部内には、該箱状部内に挿入される金属端子に押圧されることにより、該金属端子の挿入方向と交差する方向に弾性変位する金属弾性片が設けられている。すなわち、箱状部は、該箱状部内に金属端子が挿入された場合に、該金属端子に押圧されて金属弾性片が付勢力に抗して弾性変位させられる結果、箱状部を拡開しようとする応力を受けることになる。
【０００３】
そこで、前記箱状部では、該箱状部を折り曲げ形成する金属板の一方側の端部と他方側の端部とを対向配置し、該金属板の一方側の端部に形成された係止爪を他方側の端部に形成された係止孔内に嵌入させている。そして、この係止爪と係止孔とからなる係止機構の係止力によって、箱状部の内部に金属端子が挿入された場合に受ける拡開方向の応力で箱状部が拡開してしまうことを抑制しようと図っている。
【特許文献１】特開平０９−１３４７５１号公報（図２、図３）
【発明の開示】
【発明が解決しようとする課題】
【０００４】
ところで、特許文献１に記載の接続端子では、前記箱状部において係止爪及び係止孔からなる係止機構が金属弾性片よりも金属端子の挿入方向内奥側に形成されている。そのため、箱状部内に挿入された金属端子が金属弾性片を弾性変位させる時点では、箱状部において最も応力がかかる部位（すなわち、金属端子の挿入方向において金属弾性片と位置対応する部位）に対して前記係止機構による係止力がほとんど働いていなかった。したがって、箱状部内に挿入された金属端子が金属弾性片を弾性変位させる場合に、その応力で箱状部が拡開してしまい、金属端子との電気的な接触が不安定にあるおそれがあった。
【０００５】
本発明は、このような事情に鑑みてなされたものである。その目的は、箱状部において拡開方向の応力が最もかかる部位に係止機構を配設して箱状部の強度を向上させることにより、雄型の金属端子が箱状部内に挿入された際に該箱状部が拡開することを抑制できる接続端子を提供することにある。
【課題を解決するための手段】
【０００６】
上記目的を達成するために、請求項１に記載の発明は、金属板を曲げ加工することにより略筒状に形成された箱状部を備え、該箱状部内に雄型の金属端子が挿入される接続端子において、
前記箱状部には、前記金属板を曲げ加工した際に互いに対向する各対向部位のうち一方の対向部位に設けられた係止爪と、他方の対向部位に前記係止爪と対応するように形成された係止孔又は係止凹部とから構成される係止機構を設け、
前記箱状部内に、基端部が前記箱状部の下壁部に固定されて前後方向に延びる片持ち梁状に形成され、その基端部から中途部位までが箱状部の下壁部から上壁部側に向けて斜状に延びると共に、その中途部位から先端部までが箱状部の上壁部側から下壁部側に向けて斜状に延びるように略へ字状に形成され、該箱状部内に前記雄型の金属端子が挿入された場合に前記中途部位に形成された頂部が前記金属端子に押圧されて該金属端子の挿入方向と交差する方向に弾性変位する金属弾性片を設け、
前記箱状部の上壁部に、内側へ膨出する膨出部を設け、
前記係止機構及び前記膨出部は、前記金属端子の挿入方向において前記金属弾性片の前記頂部と対応する位置に配置されたことを特徴とする接続端子である。
【０００７】
上記の構成によれば、箱状部内に雄型の金属端子が挿入された場合において、該金属端子により弾性変位させられる金属弾性片が設けられた部位、すなわち箱状部において拡開方向の応力が最もかかる部位に係止機構が配設されることになる。そして、この係止機構の係止力によって、金属端子の挿入に伴う拡開方向への応力に対する箱状部の強度を増加させている。したがって、この係止機構の係止力で箱状部の強度を向上させることにより、雄型の金属端子が箱状部内に挿入された際に該箱状部が拡開することを抑制できる。
【０００８】
請求項２に記載の発明は、請求項１に記載の接続端子において、前記箱状部には、前記金属板の各対向部位を重畳させてなる重畳部が形成されていることを特徴とする。
上記の構成によれば、箱状部内に雄型の金属端子が挿入された場合に、金属弾性片が金属端子に付与する付勢力の反力として箱状部に作用する拡開方向の応力が重畳部において内側となる一方の対向部位に働いても、外側となる他方の対向部位が抑えとなることにより、箱状部が拡開してしまうことが抑制される。すなわち、重畳部が形成されていない従来の接続端子に比して、拡開方向への応力に対する箱状部の強度をより向上させることができる。
【０００９】
請求項３に記載の発明は、請求項２に記載の接続端子において、前記重畳部を構成する前記金属板の各対向部位のうち少なくとも一方は、その板厚が前記金属板のうち前記重畳部以外の部位の板厚よりも薄くなるように形成されていることを特徴とする。
【００１０】
上記の構成によれば、重畳部を構成する金属板の各対向部位のうち少なくとも一方の板厚を、重畳部以外の部位の板厚よりも薄くすることにより、重畳部全体の厚みを、板厚を薄くしていない対向部位同士を重ねた場合に比して薄く構成することができる。すなわち、箱状部の大型化を抑制できる。
【００１１】
請求項４に記載の発明は、請求項３に記載の接続端子において、前記箱状部は、四角筒状をなすように形成されており、前記重畳部は、前記金属板の各対向部位のうち外側に位置する対向部位の外側面が前記重畳部以外の部位の外側面と同一面内に位置するように形成されていることを特徴とする。
【００１２】
上記の構成によれば、箱状部の外郭形状を、重畳部が構成されない従来の接続端子における箱状部と略同一形状とすることができる。そのため、重畳部を構成することによる箱状部の大型化を抑制できる。
【００１３】
請求項５に記載の発明は、請求項１〜請求項４のうち何れか一項に記載の接続端子において、前記係止機構は、前記箱状部に前記金属端子の挿入方向に沿って複数形成されており、前記各係止機構のうち一つの係止機構が、前記金属端子の挿入方向において前記金属弾性片と対応する位置に配置されていることを特徴とする。
【００１４】
上記の構成によれば、複数の係止機構を雄型の金属端子の挿入方向に沿って形成することにより、箱状部の強度をさらに向上させることができる。
【発明の効果】
【００１５】
本発明によれば、箱状部において拡開方向の応力が最もかかる部位に係止機構を配設して箱状部の強度を向上させることにより、雄型の金属端子が箱状部内に挿入された際に該箱状部が拡開することを抑制できる。
【発明を実施するための最良の形態】
【００１６】
以下、本発明を具体化した一実施形態を図１〜図６に従って説明する。なお、以下における本明細書中の説明において、「上下方向」、「左右方向」、「前後方向」は図１（ａ）における上下方向、左右方向、前後方向（同図に矢印で示す）をそれぞれ示すものとする。
【００１７】
図１（ａ）（ｂ）に示すように、本実施形態の接続端子１０は、一枚の金属板１１を図１（ｂ）に示す一点鎖線に沿って折り曲げ加工されたものであり、電線１２を保持する電線保持部１３と、該電線保持部１３よりも後側に配置される略四角筒状の箱状部１４とを備えている。この箱状部１４は、金属板１１が前記一点鎖線に沿って略四角筒状をなすように折り曲げ形成された場合に、その金属板１１の右側の端部（一方の対向部位）１１ａの外面側に左側の端部（他方の対向部位）１１ｂが当接して重畳されるようになっている。そして、箱状部１４では、この金属板１１における左右方向の両端部１１ａ，１１ｂを重畳させた部位が重畳部１６となって、箱状部１４の上壁部１４ａの一部を構成している。
【００１８】
また、図２（ａ）に示すように、箱状部１４内には、その下壁部１４ｂに基端部１７ａが固定された片持ち梁状の金属弾性片１７が前後方向に延びるように形成されている。すなわち、金属弾性片１７は、その基端部１７ａが箱状部１４の下壁部１４ｂの内側面１４ｃに接合されると共に、その先端部１７ｂが基端部１７ａよりも後側に位置するように配置されている。この金属弾性片１７は、その先端部１７ｂが横方向（左右方向）へ複数（本実施形態では２つ）に分岐されている。すなわち、金属弾性片１７の先端部１７ｂは、二股形状をなしている。また、前記金属弾性片１７は、その基端部１７ａから中途部位までが箱状部１４の下壁部１４ｂから上壁部１４ａ側に向けて斜状に延びると共に、その中途部位から先端部１７ｂまでが箱状部１４の上壁部１４ａ側から下壁部１４ｂ側に向けて斜状に延びるように、略「へ」字状に形成されている。なお、金属弾性片１７において最も上側に位置する部位（上述した「中途部位」）のことを、以下の記載においては「頂部１７ｃ」というものとする。
【００１９】
そして、図２（ｂ）に示すように、コネクタ１８のハウジング１９に形成された収容部２０内に前記接続端子１０が挿入された場合、該接続端子１０の箱状部１４内には、収容部２０内に設けられた前後方向に延びる雄型の金属端子（以下、単に「金属端子」という。）２１が挿入されるようになっている。この際に、箱状部１４内において金属弾性片１７は、その頂部１７ｃが金属端子２１に押圧される結果、該金属端子２１の挿入方向（前後方向）と交差する方向（本実施形態では下方）に弾性変位するようになっている。すなわち、金属弾性片１７は、箱状部１４内に挿入された金属端子２１に押圧されることにより、下壁部１４ｂに向けて弾性変位するようになっている。
【００２０】
前記箱状部１４の上壁部１４ａの外側面には、前後方向において金属弾性片１７の頂部１７ｃと対応する位置に内側に凹んだ凹溝２２が左右方向に並んで複数（本実施形態では２つ）設けられている。そのため、箱状部１４内に挿入された金属端子２１は、圧接する金属弾性片１７によって上方への付勢力が付与される結果、箱状部１４の上壁部１４ａのうち各凹溝２２の形成箇所に内側へ膨出形成された膨出部２２ａに箱状部１４内から接触するようになっている。
【００２１】
また、箱状部１４の上壁部１４ａには、孔形状が略矩形状をなす貫通孔２３が前記各凹溝２２よりも前側に形成されている。この貫通孔２３には、前記接続端子１０が前記収容部２０内に正しく挿入された場合に、該収容部２０内のハウジングランス２４の先端が引っ掛かるようになっている。すなわち、本実施形態では、貫通孔２３が、ハウジング１９に設けられたハウジングランス２４に係止される係止部として機能するようになっている。なお、「接続端子１０が前記収容部２０内に正しく挿入される」とは、貫通孔２３が形成された上壁部１４ａがハウジングランス２４に対向する状態で接続端子１０が前記収容部２０内に挿入されることを示している。
【００２２】
一方、前記箱状部１４の下壁部１４ｂには、図３及び図４に示すように、箱状部１４内への金属端子２１の挿入に基づき弾性変位する金属弾性片１７の先端部１７ｂに対応する部位に該先端部１７ｂとの接触を回避するための逃がし孔２５が複数（本実施形態では２つ）形成されている。これら各逃がし孔２５は、金属弾性片１７の先端部１７ｂの形状（二股形状）に対応するように形成されている。そのため、本実施形態では、各逃がし孔２５は、横方向（左右方向）に間隔をおいて並設されると共に、それぞれの横方向の幅寸法が前記貫通孔２３における横方向の幅寸法（すなわち、ハウジングランス２４における横方向の幅寸法）に比して充分に幅狭となるようにそれぞれ形成されている。
【００２３】
次に、前記重畳部１６について詳しく説明する。
前記重畳部１６は、前述したように、金属板１１の右側の端部１１ａと左側の端部１１ｂとを重畳させることにより形成されている。また、図５（ａ）（ｂ）に示すように、重畳部１６を構成する金属板１１の各端部１１ａ，１１ｂは、その板厚（例えば約０．１５ｍｍ）ｄ１が金属板１１において重畳部１６を構成しない部位の板厚（例えば約０．２５ｍｍ）ｄ２に比して薄くなるように形成されている。すなわち、前記金属板１１の各端部１１ａ，１１ｂは、接続端子１０を形成する前段階で薄く延ばされている。
【００２４】
また、前記金属板１１の各端部１１ａ，１１ｂのうち外側となる左側の端部１１ｂの上面（外側面）２９は、箱状部１４における上壁部１４ａの外側面のうち重畳部１６以外の部位の上面（外側面）３０と上下方向において略同一面内に位置するようになっている。また、金属板１１の各端部１１ａ，１１ｂのうち内側となる右側の端部１１ａの下面（内側面）３１は、各凹溝２２と対応する膨出部２２ａよりも上方に位置するようになっている。
【００２５】
また、前記重畳部１６を構成する金属板１１の各端部１１ａ，１１ｂのうち右側の端部１１ａには係止爪２６が形成されると共に、左側の端部１１ｂには係止爪２６と対応関係にある係止孔２７が形成されている。そして、一枚の金属板１１を折り曲げ加工して接続端子１０を形成する際に、係止孔２７内に係止爪２６を嵌入して係止させることにより、略四角筒状の箱状部１４が形成されるようになっている。すなわち、本実施形態では、右側の端部１１ａに形成された係止爪２６と、左側の端部１１ｂに形成された係止孔２７とにより、係止機構２８が構成されている。なお、この係止機構２８は、金属弾性片１７の頂部１７ｃと前後方向において位置対応するように配設されている。
【００２６】
次に、本実施形態の接続端子１０がコネクタ１８におけるハウジング１９の収容部２０内に挿入される際の作用について図６に基づき以下説明する。
まず、ハウジング１９内の収容部２０内に接続端子１０がいわゆる「逆挿し」された場合の作用について説明する。なお、「逆挿し」とは、貫通孔２３が形成された箱状部１４の上壁部１４ａが下方を向いた状態で接続端子１０が前記収容部２０内に挿入されることを示している。
【００２７】
さて、図６に示すように、前記収容部２０内に接続端子１０が「逆挿し」されると、該接続端子１０は、ハウジング１９に設けられたハウジングランス２４に係止されることなく、収容部２０の奥方（後方）まで挿入される。ここで、上記のように接続端子１０が前記収容部２０内に「逆挿し」された場合、従来の接続端子では、逃がし孔の横幅がハウジングランス２４の横幅と略同一の幅であったため、逃がし孔内にハウジングランス２４の先端が不用意に引っ掛かってしまい、前記収容部２０内への接続端子の挿入が完了したと作業者が勘違いする可能性がある。ところが、本実施形態の接続端子１０では、各逃がし孔２５の横幅がハウジングランス２４の横幅に比して充分に幅狭となっている。そのため、たとえ作業者の作業ミスなどによって「逆挿し」されてしまったとしても、作業者は、接続端子１０を前記収容部２０内に接続端子１０を「逆挿し」してしまったことに気付いて、接続端子１０を前記収容部２０内に正しく挿入し直すことになる。そして、接続端子１０を前記収容部２０内に正しく挿入し直すと、ハウジングランス２４は、箱状部１４の貫通孔２３に引っ掛かり、前記収容部２０内への接続端子の挿入が完了する。
【００２８】
次に、前記収容部２０内に接続端子１０が正しく挿入された場合の作用について説明する。
さて、前記収容部２０内に接続端子１０が正しく挿入されると、該接続端子１０の箱状部１４内に金属端子２１が挿入される。すると、箱状部１４内においては、金属端子２１に押圧されることにより、金属弾性片１７が下方に弾性変位すると共に、この金属弾性片１７は、金属端子２１に対して弾性復帰作用に基づき上方に向けて付勢力を付与する。そのため、金属端子２１は、各凹溝２２と対応する膨出部２２ａに圧接し、箱状部１４の上壁部１４ａを上方に向けて押圧することになる。しかし、本実施形態では、金属端子２１による上方への応力が最もかかる部位（前後方向における部位）に係止機構２８が配設されると共に、重畳部１６が形成されている。したがって、金属端子２１の上方への押圧に基づき、箱状部１４が拡開してしまうことが抑制される。
【００２９】
したがって、本実施形態では、以下に示す効果を得ることができる。
（１）係止機構２８は、箱状部１４内に雄型の金属端子２１が挿入された場合に、その箱状部１４において拡開方向への応力が最もかかる部位に配設されている。そして、その係止機構２８を構成する係止爪２６と係止孔２７との係止力によって、金属端子２１の挿入に伴う拡開方向への応力に対する箱状部１４の強度を増加させている。したがって、この係止機構２８の係止力で箱状部１４の強度を向上させることにより、雄型の金属端子２１が箱状部１４内に挿入された際に該箱状部１４が拡開することを抑制できる。
【００３０】
（２）箱状部１４内に雄型の金属端子２１が挿入された場合に、金属弾性片１７が金属端子２１に付与する付勢力の反力として作用する拡開方向への応力が重畳部１６において内側となる左側の端部１１ｂに働いても、外側となる右側の端部１１ａが抑えとなることにより、箱状部１４が拡開してしまうことが抑制される。すなわち、重畳部１６が形成されていない従来の接続端子に比して、箱状部１４の強度をより向上させることができる。
【００３１】
（３）重畳部１６を構成する金属板１１の各端部１１ａ，１１ｂの板厚ｄ１を、重畳部１６以外の部位の板厚ｄ２よりも薄くすることにより、重畳部１６全体の厚みを、板厚を薄くしていない端部同士を重ねた場合に比して薄く構成することができる。すなわち、箱状部１４の大型化を抑制できる。
【００３２】
（４）重畳部１６は、金属板１１の各端部１１ａ，１１ｂのうち外側となる左側の端部１１ｂの上面（外側面）２９が箱状部１４の上壁部１４ａのうち重畳部１６以外の部位の上面（外側面）３０と上下方向において略同一面内に位置するように構成される。そのため、箱状部１４の外郭形状を、重畳部１６が構成されない従来の接続端子における箱状部と略同一形状とすることができる。すなわち、重畳部１６を構成することによる箱状部１４の大型化を抑制できる。
【００３３】
（５）逃がし孔２５を、その横幅がハウジングランス２４の横幅に比して幅狭となるように形成した。そのため、コネクタ１８におけるハウジング１９の収容部２０内に接続端子１０を「逆挿し」したとしても、ハウジングランス２４が逃がし孔２５に引っ掛かることはないので、作業者がハウジングランス２４に接続端子１０の貫通孔（係止部）２３が係止されたと勘違いしてしまうことを抑制できる。すなわち、コネクタ１８の収容部２０内に「逆挿し」したことを、作業者が容易に認識できる。
【００３４】
（６）複数（２つ）の逃がし孔２５が横方向に間隔をおいて形成されているため、コネクタ１８におけるハウジング１９の収容部２０内に接続端子１０を「逆挿し」した場合に、ハウジングランス２４が逃がし孔２５に引っ掛かることを回避できる。
【００３５】
（７）また、逃がし孔２５は、その横方向（左右方向）の幅が従来の場合に比して小さくなるように形成されている。そのため、逃がし孔２５を介して異物（埃など）が接続端子１０内に入ってしまうことを抑制できる。すなわち、接続端子１０と雄型の金属端子２１との接触部位間に異物が介在してしまうことによる接触不良を回避することができる。
【００３６】
なお、前記実施形態は以下のような別の実施形態（別例）に変更してもよい。
・前記実施形態において、箱状部１４は、図７に示すように、係止爪２６と係止孔２７とから構成される係止機構２８が金属端子２１の挿入方向に沿って複数（図７では２つ）形成された構成であってもよい。ただし、各係止機構２８のうち一つの係止機構は、前後方向において金属弾性片１７と対応する位置に配置されることが望ましい。このように構成した場合、複数の係止機構２８を金属端子２１の挿入方向（前後方向）に沿って形成することにより、箱状部１４の強度をさらに向上させることができる。
【００３７】
・前記実施形態において、重畳部１６は、金属板１１の各端部１１ａ，１１ｂのうち外側となる左側の端部１１ｂの上面２９が箱状部１４の上壁部１４ａのうち重畳部１６以外の部位の上面（外側面）３０よりも上側位置となるように構成されてもよい。
【００３８】
・前記実施形態において、重畳部１６を構成する金属板１１の各端部１１ａ，１１ｂのうち一方の端部の板厚を、重畳部１６以外の部位の板厚よりも薄くするようにしてもよい。
【００３９】
・前記実施形態において、箱状部１４には、重畳部１６が形成されなくてもよい。
・前記実施形態において、係止機構２８は、図８に示すように、係止爪２６と、該係止爪２６と対応するように形成された係止凹部４０とから構成されたものであってもよい。
【００４０】
・前記実施形態において、金属弾性片１７は、図９に示すように、その先端部１７ｂが先細りするように形成されたものであってもよい。この場合、箱状部１４の下壁部１４ｂに形成される逃がし孔４１は、金属弾性片１７の先端部１７ｂの形状に対応するように、その横幅（左右方向の幅）がハウジングランス２４の横幅に比して幅狭に形成される必要がある。そのため、コネクタ１８におけるハウジング１９の収容部２０内に接続端子１０を「逆挿し」した場合に、ハウジングランス２４が逃がし孔４１に引っ掛かることを回避できる。
【００４１】
・前記実施形態において、金属弾性片１７は、その先端部１７ｂが３つ以上（例えば４つ）に分岐された構成であってもよい。この場合、箱状部１４の下壁部１４ｂに形成される逃がし孔２５は、先端部１７ｂの分岐形状に対応するように横方向に３つ以上（例えば４つ）が間隔をおいて形成されることが望ましい。
【００４２】
・前記実施形態において、金属弾性片１７は、その基端部１７ａが先端部１７ｂよりも後側に配置される構成であってもよい。
【図面の簡単な説明】
【００４３】
【図１】（ａ）は本実施形態における接続端子の斜視図、（ｂ）は接続端子において箱状部を構成する部分の展開図。
【図２】（ａ）は接続端子における箱状部の断面図、（ｂ）は接続端子がコネクタにおけるハウジングの収容部内に正しく挿入された状態を示す断面図。
【図３】本実施形態における接続端子の斜視図。
【図４】図２（ａ）における４−４線矢視断面図。
【図５】（ａ）は図２（ａ）におけるＡ−Ａ線矢視断面図、（ｂ）は図２（ｂ）におけるＢ−Ｂ線矢視断面図。
【図６】接続端子がコネクタにおけるハウジングの収容部内に「逆挿し」された状態を示す断面図。
【図７】別例の箱状部の構成を示す斜視図。
【図８】別例の係止機構の構成を示す断面図。
【図９】別例の金属弾性片を示す断面図。
【符号の説明】
【００４４】
１０…接続端子、１１…金属板、１１ａ…右側の端部（一方の対向部位）、１１ｂ…左側の端部（他方の対向部位）、１４…箱状部、１４ｃ…内側面、１６…重畳部、１７…金属弾性片、１７ａ…基端部、１７ｂ…先端部、１８…コネクタ、１９…ハウジング、２０…収容部、２１…雄型の金属端子、２３…貫通孔（係止部）、２４…ハウジングランス、２５，４１…逃がし孔、２６…係止爪、２７…係止孔、２８…係止機構、２９…上面（各端部のうち外側に位置する端部の外側面）、３０…上面（重畳部以外の部位の外側面）、４０…係止凹部、ｄ１…金属板の各端部の板厚、ｄ２…金属板における重畳部以外の部位の板厚。
【図１】
0004672510.tif 000002
【図２】
0004672510.tif 000003
【図３】
0004672510.tif 000004
【図４】
0004672510.tif 000005
【図５】
0004672510.tif 000006
【図６】
0004672510.tif 000007
【図７】
0004672510.tif 000008
【図８】
0004672510.tif 000009
【図９】
0004672510.tif 000010